(57)【特許請求の範囲】
【請求項１】
導電性の金属板からなり、コモン用の１個の導電パターンと、矩形波出力用の２個の導電パターンが同一円周上に互いに切り離された状態で絶縁基体の底壁の表面から露出して配設されて前記絶縁基体の底壁に埋設された複数個の導電パターンと、この導電パターンに設けられ、前記絶縁基体の前記底壁の表面で環状に露出した接点部と、この接点部に摺動可能な接触片と、この接触片を回転させると共に、プッシュスイッチを操作する操作部材とを備え、前記絶縁基体の前記底壁の表面から露出して、前記絶縁基体に埋設された導電性の金属板からなる前記プッシュスイッチ用の複数の固定接点を設け、前記絶縁基体上に載置された可動接点が前記操作部材の操作によって、前記固定接点間をＯＮ、ＯＦＦするプッシュスイッチ付回転型エンコーダであって、前記固定接点は、前記導電パターンの前記接点部よりも中心側に位置させ、前記導電パターンが前記固定接点の外周側にリング状に配置されており、前記導電パターンと前記固定接点の互いに隣り合う周縁部において、前記導電パターン、又は／及び前記固定接点に凹部を設け、前記導電パターンと前記固定接点は、前記凹部と共に、前記操作部材の軸線方向に段差を持って、前記底壁に埋設されたことを特徴とするプッシュスイッチ付回転型エンコーダ。
【請求項２】
前記底壁は、前記導電パターンの接点部が露出される表面と前記固定接点が露出される表面とで段差を有するように形成されていることを特徴とする請求項１記載のプッシュスイッチ付回転型エンコーダ。
【請求項３】
前記導電パターンと前記固定接点が互いに隣り合う箇所には、前記絶縁基体の前記底壁から突出する凸条部を設けたことを特徴とする請求項１、又は２記載のプッシュスイッチ付回転型エンコーダ。
【請求項４】
前記固定接点は、前記底壁に設けられた窪み部内に配置されて、前記導電パターンと段差を持たせ、前記可動接点が前記窪み部内で保持されるようにしたことを特徴とする請求項１から３の何れかに記載のプッシュスイッチ付回転型エンコーダ。
【請求項５】
回転動作と軸線方向の移動が可能な一つの前記操作部材を備え、前記操作部材の回転動作で前記エンコーダを操作すると共に、前記操作部材の軸線方向の移動で前記プッシュスイッチを操作するようにしたことを特徴とする請求項１から４の何れかに記載のプッシュスイッチ付回転型エンコーダ。
【請求項６】
コモン用の１個の導電パターンと、矩形波出力用の２個の導電パターンを有するエンコーダ用のリング状の導電パターンが形成された導電性の金属板からなる第１フープ材と、プッシュスイッチ用の固定接点が形成された導電性の金属板からなる第２フープ材とを有し、前記導電パターンと前記固定接点の互いに隣り合う周縁部において、前記導電パターン、又は／及び前記固定接点に凹部を設け、前記導電パターンの中心部に前記固定接点を位置した状態で、前記第１，第２フープ材を対向して配置した後、前記導電パターンと前記固定接点の一部を前記絶縁基体の底壁の表面から露出させて、前記導電パターンと前記固定接点とを同時に、前記凹部と共に、前記底壁に段差を持って埋設したことを特徴とするプッシュスイッチ付回転型エンコーダの製造方法。
【請求項７】
前記固定接点は、前記底壁に設けられた窪み部内に埋設されて、前記導電パターンと段差を持たせたことを特徴とする請求項６記載のプッシュスイッチ付回転型エンコーダの製造方法。
【請求項８】
前記導電パターンと前記固定接点は、一つのフープ部材に形成され、この一つのフープ部材を切断、或いは折り曲げすることにより前記第１，第２フープ材が形成され、この第１，第２フープ材を対向させるようにしたことを特徴とする請求項６，又は７記載のプッシュスイッチ付回転型エンコーダの製造方法。
【請求項９】
一部を表面から露出した状態で前記導電パターンと前記固定接点を埋設して第１基体部を形成する第１成型工程と、前記導電パターンと前記固定接点を露出した前記第１基体部の表面と反対側の背面に、第２基体部を形成する第２成型工程とで、前記絶縁基体が形成されたことを特徴とする請求項６から８の何れかに記載のプッシュスイッチ付回転型エンコーダの製造方法。
【発明の詳細な説明】
【０００１】
【発明の属する技術分野】
本発明は、電子機器などに使用されるプッシュスイッチ付回転型エンコーダ、及びその製造方法に関する。
【０００２】
【従来の技術】
従来のプッシュスイッチ付回転型エンコーダを図８に基づいて説明すると、先ず、回転型エンコーダＥは、合成樹脂の成型品からなる筒状の絶縁基体３１と、この絶縁基体３１の底壁３１ａにおいて、同一円周上に配置され、互いに切り離された状態で埋設された金属板からなる複数個の導電パターン３２と、合成樹脂の成型品からなり、取付板３３によって絶縁基体３１に回転可能に取り付けられた回転軸３４と、導電パターン３２に摺動可能に回転軸３４に取り付けられた接触片３５とで構成されている。
【０００３】
そして、回転エンコーダＥは、回転軸３４に摘み３６が取り付けられ、この摘み３６を回転すると回転軸３４が回転し、すると、接触片３５が導電パターン３２上を摺動して、パルス信号を発生するようになっている。
【０００４】
また、プッシュスイッチＰは、固定接点、可動接点（図示せず）を収納した筺体３７と、この筺体３７に上下動可能に取り付けられた押し釦３８とで構成された単品の製品で形成されている。
そして、このプッシュスイッチＰは、絶縁基体３１の後部に設けられた取付部３１ｂに収納されて、絶縁基体３１に取り付けられると共に、押し釦３８が絶縁基体３１の孔３１ｃ内に位置した状態となっている。
【０００５】
また、プッシュスイッチＰを操作する操作部３９が回転軸３４の孔３４ａに挿入されて、操作部３９が回転軸３４と同軸的に取り付けられると共に、操作部３９の鍔部３９ａが押し釦３８と対向した状態で配置され、操作部３９の中央の孔３９ｂには、操作釦４０が取り付けられている。
【０００６】
そして、このプッシュスイッチＰは、操作釦４０を押圧すると、操作部３９を介して押し釦３８が押されて、プッシュスイッチＰの接点の切換が行われ、また、操作釦４０の押圧を解除すると、プッシュスイッチＰ側のバネ力によって、押し釦３８，操作部３９、及び操作釦４０は、元の状態に復帰するようになっている。
【０００７】
また、従来のプッシュスイッチ付回転型エンコーダの製造方法は、回転型エンコーダＥ用の導電パターン３２を埋設した絶縁基体３１を製造すると共に、別工程で、単品のプッシュスイッチＰを製造し、絶縁基体３１と単品のプッシュスイッチＰを組み合わせることにより、プッシュスイッチ付回転型エンコーダが製造されるものである。
【０００８】
【発明が解決しようとする課題】
従来のプッシュスイッチ付回転型エンコーダは、単品のプッシュスイッチＰを使用するものあるため、コスト高になるという問題がある。
また、単品のプッシュスイッチＰが回転型エンコーダＥの絶縁基体３１の取付部３１ｂで結合されるため、縦方向に長くなり、大型になるという問題がある。また、従来のプッシュスイッチ付回転型エンコーダの製造方法は、絶縁基体３１と単品のプッシュスイッチＰとを組み合わせるものであるため、プッシュスイッチＰを別工程で製造する工程と、プッシュスイッチＰを絶縁基体３１に組合せる工程が必要で、その生産性が悪く、コスト高になるという問題がある。
【０００９】
そこで、本発明は生産性が良く、安価で、小型のプッシュスイッチ付回転型エンコーダ、及びその製造方法を提供することを目的とする。
【００１０】
【課題を解決するための手段】
上記課題を解決するための第１の解決手段として、導電性の金属板からなり、コモン用の１個の導電パターンと、矩形波出力用の２個の導電パターンが同一円周上に互いに切り離された状態で絶縁基体の底壁の表面から露出して配設されて前記絶縁基体の底壁に埋設された複数個の導電パターンと、この導電パターンに設けられ、前記絶縁基体の前記底壁の表面で環状に露出した接点部と、この接点部に摺動可能な接触片と、この接触片を回転させると共に、プッシュスイッチを操作する操作部材とを備え、前記絶縁基体の前記底壁の表面から露出して、前記絶縁基体に埋設された導電性の金属板からなる前記プッシュスイッチ用の複数の固定接点を設け、前記絶縁基体上に載置された可動接点が前記操作部材の操作によって、前記固定接点間をＯＮ、ＯＦＦするプッシュスイッチ付回転型エンコーダであって、前記固定接点は、前記導電パターンの前記接点部よりも中心側に位置させ、前記導電パターンが前記固定接点の外周側にリング状に配置されており、前記導電パターンと前記固定接点の互いに隣り合う周縁部において、前記導電パターン、又は／及び前記固定接点に凹部を設け、前記導電パターンと前記固定接点は、前記凹部と共に、前記操作部材の軸線方向に段差を持って、前記底壁に埋設された構成とした。
【００１１】
また、第２の解決手段として、前記底壁は、前記導電パターンの接点部が露出される表面と前記固定接点が露出される表面とで段差を有するように形成されている構成とした。
また、第３の解決手段として、前記導電パターンと前記固定接点が互いに隣り合う箇所には、前記絶縁基体の前記底壁から突出する凸条部を設けた構成とした。
【００１２】
また、第４の解決手段として、前記固定接点は、前記底壁に設けられた窪み部内に配置されて、前記導電パターンと段差を持たせ、前記可動接点が前記窪み部内で保持されるようにした構成とした。
また、第５の解決手段として、回転動作と軸線方向の移動が可能な一つの前記操作部材を備え、前記操作部材の回転動作で前記エンコーダを操作すると共に、前記操作部材の軸線方向の移動で前記プッシュスイッチを操作するようにした構成とした。
【００１３】
また、第６の解決手段として、コモン用の１個の導電パターンと、矩形波出力用の２個の導電パターンを有するエンコーダ用のリング状の導電パターンが形成された導電性の金属板からなる第１フープ材と、プッシュスイッチ用の固定接点が形成された導電性の金属板からなる第２フープ材とを有し、前記導電パターンと前記固定接点の互いに隣り合う周縁部において、前記導電パターン、又は／及び前記固定接点に凹部を設け、前記導電パターンの中心部に前記固定接点を位置した状態で、前記第１，第２フープ材を対向して配置した後、前記導電パターンと前記固定接点の一部を前記絶縁基体の底壁の表面から露出させて、前記導電パターンと前記固定接点とを同時に、前記凹部と共に、前記底壁に段差を持って埋設した製造方法とした。
【００１４】
また、第７の解決手段として、前記固定接点は、前記底壁に設けられた窪み部内に埋設されて、前記導電パターンと段差を持たせた製造方法とした。
【００１５】
また、第８の解決手段として、前記導電パターンと前記固定接点は、一つのフープ部材に形成され、この一つのフープ部材を切断、或いは折り曲げすることにより前記第１，第２フープ材が形成され、この第１，第２フープ材を対向させるようにした製造方法とした。
【００１６】
また、第９の解決手段として、一部を表面から露出した状態で前記導電パターンと前記固定接点を埋設して第１基体部を形成する第１成型工程と、前記導電パターンと前記固定接点を露出した前記第１基体部の表面と反対側の背面に、第２基体部を形成する第２成型工程とで、前記絶縁基体が形成された製造方法とした。
【００１７】
【発明の実施の形態】
本発明のプッシュスイッチ付回転型エンコーダ、及びその製造方法の図面を説明すると、図１は本発明のプッシュスイッチ付回転型エンコーダに係る要部の拡大断面図、図２は本発明のプッシュスイッチ付回転型エンコーダに係る絶縁基体の拡大断面図である。
【００１８】
また、図３は本発明のプッシュスイッチ付回転型エンコーダの製造方法に係り、フープ部材の平面図、図４は本発明のプッシュスイッチ付回転型エンコーダの製造方法に係り、第１、第２フープ材を対向させた状態を示す平面図、図５は本発明のプッシュスイッチ付回転型エンコーダの製造方法に係り、第１、第２フープ材に絶縁基体を成型した状態を示す平面図、図６は本発明のプッシュスイッチ付回転型エンコーダの製造方法に係り、第１成型工程により形成された第１基体部の拡大断面図、図７は本発明のプッシュスイッチ付回転型エンコーダの製造方法に係り、第２成型工程により形成された第１、第２基体部の拡大断面図である。
【００１９】
次に、本発明のプッシュスイッチ付回転型エンコーダの構成を図１〜図７に基づいて説明すると、合成樹脂の成型品からなる絶縁基体１は、平板状の底壁１ａと、底壁１ａの周囲から直立して設けられ、中央部に円形の凹状の収納部１ｂを有する円筒状の側壁１ｃと、側壁１ｃの外側に設けられた係止用の突起１ｄと、底壁１ａの中央部に設けられ、底壁１ａが段差を持った二つの表面を有するように形成された円形状の窪み部１ｅと、この窪み部１ｅの周囲から上方に突出するように底壁１ａに設けられた円筒状の凸条部１ｆとを有する。
【００２０】
そして、この絶縁基体１には、特に図２，図３に示すように、導電性の金属板からなるエンコーダ用の複数個の導電パターン２、３が同一円周上にリング状に配置され、互いに切り離された状態で、埋設されて取り付けられている。
そして、コモン用の１個の導電パターン２は、扇状の接点部２ａと、接点部２ａの中央から突出して設けられた端子部２ｂとを有し、また、矩形波出力用の２個の導電パターン３は、扇状の部分に複数個の貫通孔３ａを設けて、貫通孔３ａ間に形成された接点部３ｂと、接点部３ｂから突出して設けられた端子部３ｃとを有する。
そして、この導電パターン２、３は、絶縁基体１の底壁１ａに埋設されて、接点部２ａ、３ｂが底壁１ａの高い位置の表面に露出した状態となると共に、端子部２ｂ、３ｃが絶縁基体１から突出して、下方に折り曲げられている。
【００２１】
プッシュスイッチ用の複数の固定接点４、５は、それぞれ導電性の金属板で形成され、特に図２，図４に示すように、固定接点４は、Ｃ型の接点部４ａと、この接点部４ａから突出する端子部４ｂとを有し、また、固定接点５は、Ｃ型の接点部４ａの中央部に位置する接点部５ａと、この接点部５ａから突出する端子部５ｂとを有する。
【００２２】
そして、この固定接点４，５は、絶縁基体１の底壁１ａに埋設されて、接点部４ａ、５ａが底壁１ａの低い位置の表面である窪み部１ｅの底面から露出した状態となると共に、端子部４ｂ、５ｂが絶縁基体１から突出して、下方に折り曲げられている。
また、固定接点４，５が埋設された際、接点部４ａ、５ａは、導電パターン２，３の接点部２ａ、３ｂよりも中心部側に位置したものとなっている。
【００２３】
このように絶縁基体１に埋設された導電パターン２，３と固定接点４，５とは、図２に示すように、上下方向（軸線方向）に段差Ｄを持って配置されると共に、導電パターン２，３と固定接点４，５が互いに隣り合う箇所、即ち、導電パターン２，３と固定接点４の接点部４ａの隣り合う箇所には、凸条部１ｆが設けられおり、これによって、導電パターン２，３と固定接点４との間の電気的な絶縁性を図ると共に、両者間の沿面距離を大きくしている。
【００２４】
また、図４に示すように、導電パターン２，３と固定接点４の互いに隣り合う周縁部、即ち、導電パターン２，３の内周縁部には、複数の凹部２ｃ、３ｄが設けられ、この凹部２ｃ、３ｄが導電パターン２，３と共に、底壁１ａに埋設された状態となっている。
そして、この凹部２ｃ、３ｄを設けることにより、段差Ｄを持たせた状態で導電パターン２，３と固定接点４とを絶縁基体１に成型する時、この段差Ｄ部分における合成樹脂の湯の流れを良くして、段差Ｄ部分の成型を確実にしている。
【００２５】
なお、この凹部２ｃ、３ｃは、導電パターン２，３に設けたもので説明したが、固定接点の外周縁部に設けても良く、また、凹部は、導電パターン２，３と固定接点４の双方に設けても良い。
【００２６】
合成樹脂の成型品からなる回転体６は、中央に非円形状の孔を設けた筒状の軸部６ａと、この軸部６ａの端部から径方向に延びる鍔部６ｂと、鍔部６ｂの上面に設けられた凹凸部６ｃとを有し、この鍔部６ｂの下面には、円周方向に１２０度の間隔で突出部を有するバネ性ある金属板からなる接触片７が固定されている。
【００２７】
そして、回転体６の鍔部６ｂと接触片７は、収納部１ｂ内に収納されて、回転体６は回転可能に取り付けられ、また、回転体６が回転した時、接触片７の突出部は、導電パターン２，３の接点部２ａ、３ｂ、及び絶縁基体１の底壁１ａの上に摺動して、２相のパルス信号を発生すると共に、この接触片７と導電パターン２，３とによって、回転型のエンコーダＥが構成されている。
【００２８】
バネ性ある金属板からなるドーム状の可動接点８は、絶縁基体１の窪み部１ｅ内で底壁１ａ上に載置されており、この可動接点９は、その周辺部が固定接点４の接点部４ａに常時接触すると共に、中央部が固定接点５の接点部５ａと対向した状態で、窪み部１ｅ内で保持されている。
【００２９】
そして、可動接点８の中央部が押圧された時、可動接点８が固定接点５の接点部５ａに接触して、固定接点４，５間がＯＮ状態になり、また、可動接点８の押圧を解除すると、可動接点８がバネ性によって元の状態に自己復帰して、固定接点４，５間がＯＦＦ状態になると共に、この可動接点８と固定接点４，５とによって、プッシュスイッチＰが形成されている。
また、窪み部１ｅに収納された可動接点８は、筒状の凸条部１ｆによって、導電パターン２，３と区画された状態となっている。
【００３０】
合成樹脂の成型品からなる可動体９は、外周面が非円形状に形成されると共に、中央部に凹部９ａを有し、そして、この可動体９は、軸部６ａとスプライン結合された状態で、軸部６ａ内にはめ合わされると共に、下端部が可動接点８の上方に位置し、可動体９の上下動（軸線方向の移動）によって、可動接点８を押圧してプッシュスイッチＰを操作するようになっている。
また、可動体９が回転した時、回転体６が回転されて、エンコーダＥを操作するようになっている。
【００３１】
ダイキャスト等の成型品からなる軸受け部材１０は、筒状部１０ａと、筒状部１０ａの上端部に設けられ、孔１０ｂを有する上端部１０ｃと、筒状部１０ａの下端部から径方向に延びる板状部１０ｄとを有する。
そして、この軸受け部材１０は、筒状部１０ａ内に軸部６ａを挿入した状態で、板状部１０ｄが側壁１ｃの上端に載置されている。
【００３２】
金属板からなる箱形の取付部材１１は、複数の孔１１ａを有する側板１１ｂと、中央部に孔１１ｃを有する上面板１１ｄと、側板１１ｂから下方に延びる複数の取付片１１ｅと、側板１１ｂから下方に延びる複数の取付脚１１ｆとを有する。
そして、この取付部材１１は、孔１１ｃに筒状部１０ａを挿通し、側板１１ｂの孔１１ａに突起１ｄを掛け止めした状態で、取付片１１ｅの先端部を絶縁基体１側に折り曲げして、軸受け部材１０と絶縁基体１とを一体化している。
【００３３】
クリックバネ１２はバネ性ある金属板からなり、このクリックバネ１２は、収納部１ｂ内で、軸受け部材１０等に回転不能に取り付けられて、凸部１２ａが凹凸部６ｃと当接し、回転体６が回転した時、凸部１２ａが凹凸部６ｃと係脱して、回転体６の回転にクリック感を持たせている。
【００３４】
操作部材１３は、操作部１３ａと、軸部１３ｂと、軸部１３ｂに設けられた溝部１３ｃを有し、この操作部材１３は、軸部１３ｂを軸受け部材１０の孔１０ｂに挿通し、溝部１３ｃに抜け止め用のＯリング１４を嵌入して、軸受け部材１０に取り付けられると共に、軸部１３ｂの先端部が可動体９の凹部９ａに係合した状態となっている。
【００３５】
次に、このような構成を有するプッシュスイッチ付回転型エンコーダの動作を説明すると、先ず、操作部材１３を回転すると、軸部１３ｂに係合した可動体９が回転すると共に、この可動体９にスプライン結合された回転体６が回転する。そして、回転体６が回転すると接触片７も回転し、すると、接触片７が導電パターン２，３の接点部２ａ、３ｂに摺動して、所望のパルス信号を発生して、回転型のエンコーダＥが操作される。
また、この回転体６の回転に伴って、凸部１２ａが凹凸部６ｃと係脱して、回転体６の回転にクリック感が得られる。
【００３６】
次に、操作部材１３を押圧して、軸線方向に移動させると、可動体９が軸線方向に移動されて、可動接点８を押圧する。
すると、回動接点８が固定接点５の接点部５ａに接触して、固定接点４，５間がＯＮ状態になり、また、操作部材１３の押圧を解除すると、操作部材１３は可動接点８のバネ性で元の状態に押し戻されると共に、可動接点８がバネ性によって元の状態に自己復帰して、固定接点４，５間がＯＦＦ状態になり、このようにしてプッシュスイッチＰが操作される。
【００３７】
なお、上記実施例では、回転型のエンコーダＥとプッシュスイッチＰを一つの操作部材１３で操作するようにしたもので説明したが、回転型のエンコーダＥを操作する回転体６の軸部６ａと、この軸部６ａと相対的に回転可能で、且つ、同軸的に配置され、プッシュスイッチＰを操作する軸部材とで前記操作部材を構成し、軸部６ａと軸部材によって、それぞれを操作するようにしても良い。
【００３８】
次に、本発明のプッシュスイッチ付回転型エンコーダの製造方法を図３〜図７に基づいて説明すると、先ず、導電性の金属板からなる幅広の一つのフープ部材Ｆは、図３に示すように、パイロット孔１５を基準として順送りされると共に、金型（図示せず）によって打ち抜きされて、長手方向に二つに区分された一方の第１フープ材Ｆ１には、エンコーダ用の導電パターン２，３を形成すると共に、他方の第２フープ材Ｆ２には、プッシュスイッチ用の固定接点４，５を形成する。
【００３９】
そして、図３に示すように、第１，第２フープ材Ｆ１，Ｆ２は、パイロット孔１５を設けた桟部１６により結合されて、導電パターン２，３と固定接点４，５とが幅方向に並設された状態で、順次形成されるようになっていると共に、第１フープ材Ｆ１に設けられ、中心部が連結された導電パターン２，３は、端子部２ｂ、３ｃと連結部１７によって桟部１６に結合され、更に、第２フープ材Ｆ２に設けられ、互いに連結された固定接点４，５は、端子部４ｂ、５ｂによって桟部１６に結合されている。
【００４０】
次に、このように構成されたフープ部材Ｆは、図３に示すように、第１フープ材Ｆ１では線Ｓ１において切断されて、導電パターン２，３が中央部で互いに分離され、また、第２フープ材Ｆ２では線Ｓ２において切断されて、固定接点４，５が互いに分離されると共に、線Ｓ３において切断されて、第１，第２フープ材Ｆ１，Ｆ２が切り離される。
また、この際、後述の工程で固定接点４，５が導電パターン２，３と高さ方向において接触しないように、固定接点４，５の接点部４ａと桟部１６の間の端子部４ｂ、及び接点部５ａと桟部１６の間の端子部５ｂは、下方に突き出し加工され、更に、接点部４ａの３カ所の突起、接点部５ａの中央の突起が上方に突き出し加工される。
また、これ等の切断作業は、同時に行われているが、別々の工程で行っても良い。
【００４１】
次に、切り離された第１，第２フープ材Ｆ１、Ｆ２は、図４に示すように、第１，第２フープ材Ｆ１，Ｆ２のパイロット孔１５を合わせて、固定接点４，５が導電パターン２，３の中心部に位置した状態で、第２フープ材Ｆ２上に第１フープ材Ｆ１を配置する。
この時、突き出し加工された端子部４ｂ、５ｂ上に第１フープ材Ｆ１が載置されると共に、固定接点４，５と導電パターン２，３との間には、段差Ｄが形成されるようになっている。
そして、このような状態に配置された第１，第２フープ材Ｆ１，Ｆ２は、形成金型（図示せず）で保持される。
なお、ここでは、第１，第２フープ材Ｆ１，Ｆ２が切り離されたもので説明したが、桟部１６を折り曲げて、両者を上下に配置しても良い。
【００４２】
次に、合成樹脂の湯を成型金型に注入すると、図５に示すように、導電パターン２，３，及び固定接点４，５をインサートした絶縁基体１が形成されるが、この絶縁基体１は、第１、第２成型工程の２工程で形成されるようになっている。
そして、この第１成型工程では、図６に示すように、底壁１ａの一部と側壁１ｃ等が形成されると共に、一部を表面から露出した状態で導電パターン２，３と固定接点４，５を底壁１ａに埋設して、第１基体部Ｋ１が形成される。
【００４３】
また、この第１成型工程において、導電パターン２，３と固定接点４は複数の箇所、また、固定接点５は中心部の１カ所で、上下から金型で押さえらた状態で成型されるため、孔１ｇが形成されたものとなっている。
更に、この第１成型工程では、導電パターン２，３と固定接点４の互いに隣り合う周縁部が、ほぼフープ材１６の板厚と同じ段差Ｄを持って配置されている。
所で、同じ面に０．５ｍｍ以下に近接して配置した場合には、板厚間のスペースが狭く、樹脂が流れにくく、樹脂が充填されない、所謂ショートの問題が発生するが、本実施例においては、板厚と同じ段差Ｄを持って配置されており、高さ方向で対向していないので、樹脂を確実に充填することが可能となり、よって、両者の間の距離を０．５ｍｍ程度、即ち、フープ材１６の板厚の４倍程度以下（板厚は０．１２ｍｍ程度）の小型としても、両者を確実に絶縁することができる。
なお、本実施例では０．２ｍｍである。
また、更に、導電パターン２，３と固定接点４の互いに隣り合う周縁部、即ち、導電パターン２，３の内周縁部には、複数の凹部２ｃ、３ｄが設けられているため、更に合成樹脂の湯の流れを良くして、段差Ｄ部分の成型を確実にしている。
【００４４】
次に、第２成型工程において、図７に示すように、孔１ｇを埋めて、底壁１ａを最終的な形状にするように、第１基体部Ｋ１の背面に第２基体部Ｋ２が形成され、その結果、所望形状の絶縁基体１が製造されるものである。
また、絶縁基体１の製造に当たって、第１，第２成型工程の２工程にすることによって、合成樹脂の湯圧による導電パターン２，３，及び固定接点４，５の反りを少なくしたり、孔１ｇを塞いで、接点部の硫化、半田付け時のフラックス上がりを防いだり、或いは分離することによって、複雑な形成金型の製作を容易にする等ができるものである。
また、本実施例においては、導電パターン２，３と固定接点４の互いに隣り合う周縁部の段差Ｄを、ほぼフープ材１６の板厚と同じとしているが、それ以下としても良く、また、平面方向にオーバーラップさせても良く、その場合には更に小型化できる。
また、本実施例では凸条部１ｆを設けているが、必ずしも必要ではない。
【００４５】
【発明の効果】
本発明のプッシュスイッチ付回転型エンコーダにおいて、絶縁基体１に埋設されたプッシュスイッチ用の固定接点４，５を設けると共に、絶縁基体１には、エンコーダ用の導電パターン２，３を埋設したため、従来に比して、部品点数が少なく、安価なプッシュスイッチ付回転型エンコーダを提供できる。
【００４６】
また、本発明は、従来の筺体を絶縁基体１が兼ねると共に、プッシュスイッチ用の固定接点４，５が導電パターン２，３の中心側に埋設されているため、縦方向に小さくできて、小型のプッシュスイッチ付回転型エンコーダを提供できる。
【００４７】
また、絶縁基体１に埋設された導電パターン２，３と固定接点４，５とは、上下方向（軸線方向）に段差Ｄを持って配置されるため、径方向に小さくできて、小型のものが得られる。
【００４８】
また、導電パターン２，３と固定接点４の互いに隣り合う周縁部において、導電パターン２，３、又は／及び固定接点４に凹部２ｃ、３ｄを設け、絶縁基体１には、凹部２ｃ、３ｄと共に、導電パターン２，３と固定接点４を埋設したため、合成樹脂の湯の流れを良くして、段差Ｄ部分の成型を確実にできる。
【００４９】
また、導電パターン２，３と固定接点４が互いに隣り合う箇所には、絶縁基体１の底壁１ａから突出する凸条部１ｆを設けたため、導電パターン２，３と固定接点４との間の確実な電気的な絶縁性を図ることができると共に、両者間の沿面距離を大きくできて、性能の良いものが得られる。
【００５０】
また、固定接点４，５は、底壁１ａに設けられた窪み部１ｅ内に配置されて、導電パターン２，３と段差Ｄを持たせ、可動接点８が窪み部１ｅ内で保持されるようにしたため、可動接点８の保持が簡単で、確実なものが得られる。
【００５１】
また、回転動作と軸線方向の移動が可能な一つの操作部材１３を備え、操作部材１３の回転動作でエンコーダＥを操作すると共に、操作部材１３の軸線方向の移動でプッシュスイッチＰを操作するようにしたため、一つの操作部材１３で、エンコーダＥとプッシュスイッチＰを操作できて、操作性の良好なものが得られる。
【００５２】
また、エンコーダ用のリング状の導電パターン２，３が形成された導電性の金属板からなる第１フープ材Ｆ１と、プッシュスイッチ用の固定接点４，５が形成された導電性の金属板からなる第２フープ材Ｆ２とを有し、導電パターン２，３の中心部に固定接点４，５を位置した状態で、第１，第２フープ材Ｆ１，Ｆ２を対向して配置した後、導電パターン２，３と固定接点４，５の一部を絶縁基体１の底壁１ａの表面から露出させて、導電パターン２，３と固定接点４，５とを同時に絶縁基体１に埋設した製造方法としたため、互いに形状の異なる導電パターン２，３と固定接点４，５を並設して加工した後、第１，第２フープ材Ｆ１，Ｆ２を対向、配置することができて、従って、同じ製造ライン中において両者の加工ができて、その製造の容易なものが得られる。
【００５３】
また、導電パターン２，３と固定接点４が底壁１ａに段差Ｄを持って埋設された製造方法としたため、第１，第２フープ材Ｆ１，Ｆ２間に間隔を持たせた状態で絶縁基体１を形成すれば良く、その製造が簡単であると共に、小型の絶縁基体１が得られる。
【００５４】
また、固定接点４，５は、底壁１ａに設けられた窪み部１ｅ内に埋設されて、導電パターン２，３と段差Ｄを持たせた製造方法としたため、簡単で、確実な可動接点８の保持ができる製造を提供できる。
【００５５】
また、導電パターン２，３と固定接点４，５は、一つのフープ部材Ｆに形成され、この一つのフープ部材Ｆを切断、或いは折り曲げすることにより第１，第２フープ材Ｆ１，Ｆ２が形成され、この第１，第２フープ材Ｆ１，Ｆ２を対向させるようにした製造方法としたため、同一材料から互いに形状の異なる導電パターン２，３と固定接点４，５を並設して加工した後、第１，第２フープ材Ｆ１，Ｆ２を対向、配置することができて、従って、同じ製造ライン中において両者の加工ができて、その製造の容易なものが得られる。
【００５６】
また、一部を表面から露出した状態で導電パターン２，３と固定接点４，５を埋設して第１基体部Ｋ１を形成する第１成型工程と、導電パターン２，３と固定接点４，５を露出した第１基体部Ｋ１の表面と反対側の背面に、第２基体部Ｋ２を形成する第２成型工程とで、絶縁基体１が形成された製造方法としたため、第１，第２成型工程の２工程にすることによって、合成樹脂の湯圧による導電パターン２，３，及び固定接点４，５の反りを少なくしたり、孔１ｇを塞いで、接点部の硫化を防いだり、或いは分離することによって、複雑な形成金型の製作を容易にする等ができる。
【図面の簡単な説明】
【図１】本発明のプッシュスイッチ付回転型エンコーダに係る要部の拡大断面図。
【図２】本発明のプッシュスイッチ付回転型エンコーダに係る絶縁基体の拡大断面図。
【図３】本発明のプッシュスイッチ付回転型エンコーダの製造方法に係り、フープ部材の平面図。
【図４】本発明のプッシュスイッチ付回転型エンコーダの製造方法に係り、第１、第２フープ材を対向させた状態を示す平面図。
【図５】本発明のプッシュスイッチ付回転型エンコーダの製造方法に係り、第１、第２フープ材に絶縁基体を成型した状態を示す平面図。
【図６】本発明のプッシュスイッチ付回転型エンコーダの製造方法に係り、第１成型工程により形成された第１基体部の拡大断面図。
【図７】本発明のプッシュスイッチ付回転型エンコーダの製造方法に係り、第２成型工程により形成された第１、第２基体部の拡大断面図。
【図８】従来のプッシュスイッチ付回転型エンコーダに係る要部の断面図。
【符号の説明】
１  絶縁基体
１ａ  底壁
１ｂ  収納部
１ｃ  側壁
１ｄ  突起
１ｅ  窪み部
１ｆ  凸条部
１ｇ  孔
Ｋ１  第１基板部
Ｋ２  第２基板部
２  導電パターン
２ａ  接点部
２ｂ  端子部
２ｃ  凹部
３  導電パターン
３ａ  貫通孔
３ｂ  接点部
３ｃ  端子部
３ｄ  凹部
４  固定接点
４ａ  接点部
４ｂ  端子部
５  固定接点
５ａ  接点部
５ｂ  端子部
６  回転体
６ａ  軸部
６ｂ  鍔部
６ｃ  凹凸部
７  接触片
８  可動接点
９  可動体
９ａ  凹部
１０  軸受け部
１０ａ  筒状部
１０ｂ  孔
１０ｃ  上端部
１０ｄ  板状部
１１  取付部材
１１ａ  孔
１１ｂ  側板
１１ｃ  孔
１１ｄ  上面板
１１ｅ  取付片
１１ｆ  取付脚
１２  クリックバネ
１２ａ  凸部
１３  操作部材
１３ａ  操作部
１３ｂ  軸部
１３ｃ  溝部
１４  Ｏリング
Ｄ  段差
Ｅ  エンコーダ
Ｐ  プッシュスイッチ
Ｆ  フープ部材
Ｆ１  第１フープ材
Ｆ２  第２フープ材
１５  パイロット孔
１６  桟部
１７  連結部
Ｓ１  線
Ｓ２  線
Ｓ３  線
【図１】
0003929692.tif 000002
【図２】
0003929692.tif 000003
【図３】
0003929692.tif 000004
【図４】
0003929692.tif 000005
【図５】
0003929692.tif 000006
【図６】
0003929692.tif 000007
【図７】
0003929692.tif 000008
【図８】
0003929692.tif 000009